【手続補正書】
【提出日】平成18年10月18日(2006.10.18)
【手続補正１】
【補正対象書類名】特許請求の範囲
【補正対象項目名】全文
【補正方法】変更
【補正の内容】
【特許請求の範囲】
【請求項１】
無線信号を受信する複数のアンテナ素子と、
前記複数のアンテナ素子の一のアンテナ素子によって受信された無線信号に対して受信処理を施す第１受信処理手段と、
前記複数のアンテナ素子の他のアンテナ素子によって受信された無線信号に対して、前記第１受信処理手段によって施される受信処理に比べて処理性能が制限された受信処理を施す第２受信処理手段と、
前記複数のアンテナ素子の所定のアンテナ素子の受信状態を測定する測定手段と、
前記第１受信処理手段および前記第２受信処理手段の少なくともいずれか一方に対する電源供給のオン／オフを、測定された受信状態に応じて制御する電源制御手段と、
を有することを特徴とするダイバーシティ受信装置。
【請求項２】
無線信号を受信する複数のアンテナ素子と、
前記複数のアンテナ素子の一のアンテナ素子によって受信された無線信号に対して受信処理を施す第１受信処理手段と、
前記複数のアンテナ素子の他のアンテナ素子によって受信された無線信号に対して、前記第１受信処理手段によって施される受信処理に比べて処理性能が制限された受信処理を施す第２受信処理手段と、
前記複数のアンテナ素子の所定のアンテナ素子の受信状態を測定する測定手段と、
前記第１受信処理手段に対する電源供給をオンに固定しつつ、前記第２受信処理手段に対する電源供給のオン／オフを、測定された受信状態に応じて切り替える電源制御手段と、
を有することを特徴とするダイバーシティ受信装置。
【請求項３】
前記第２受信処理手段は、前記第１受信処理手段によって行われる受信処理に比べてＥＶＭ（Error Vector Magnitude）特性が緩和された受信処理を行い、
前記測定手段は、前記所定のアンテナ素子の受信レベルを測定し、
測定された受信レベルが前記第２受信処理手段の受信感度点以上か否かを判定する判定手段をさらに有し、
前記電源制御手段は、
測定された受信レベルが前記受信感度点以上であると判定された場合に、前記第２受信処理手段に対する電源供給をオンにし、測定された受信レベルが前記受信感度点以上でないと判定された場合に、前記第２受信処理手段に対する電源供給をオフにすることを特徴とする請求項２記載のダイバーシティ受信装置。
【請求項４】
前記第２受信処理手段は、前記第１受信処理手段によって行われる受信処理に比べてダイナミックレンジが制限された受信処理を行い、
前記測定手段は、前記所定のアンテナ素子の受信レベルを測定し、
測定された受信レベルに基づいて、前記第２受信処理手段に対する電源供給をオンにしたときのゲイン値を算出する算出手段と、
算出されたゲイン値が前記第２受信処理手段のダイナミックレンジ内か否かを判定する判定手段と、をさらに有し、
前記電源制御手段は、
算出されたゲイン値が前記ダイナミックレンジ内であると判定された場合に、前記第２受信処理手段に対する電源供給をオンにし、算出されたゲイン値が前記ダイナミックレンジ内でないと判定された場合に、前記受信処理手段に対する電源供給をオフにすることを特徴とする請求項２記載のダイバーシティ受信装置。
【請求項５】
前記第１および第２受信処理手段は、異なるアンテナ素子にそれぞれ接続され、接続されたアンテナ素子によって受信された無線信号に対して受信処理をそれぞれ施し、
前記複数のアンテナ素子と前記第１または第２受信処理手段との間の接続関係を、測定された受信状態に応じて切り替えるアンテナ切替制御手段をさらに有することを特徴とする請求項２記載のダイバーシティ受信装置。
【請求項６】
無線信号を受信する複数のアンテナ素子と、
前記複数のアンテナ素子の一のアンテナ素子に接続され、接続されたアンテナ素子によって受信された無線信号に対して受信処理を施す第１受信処理手段と、
前記複数のアンテナ素子の他のアンテナ素子に接続され、接続されたアンテナ素子によって受信された無線信号に対して、前記第１受信処理手段によって施される受信処理に比べて処理性能が制限された受信処理を施す第２受信処理手段と、
前記複数のアンテナ素子の所定のアンテナ素子の受信状態を測定する測定手段と、
前記複数のアンテナ素子と前記第１または第２受信処理手段との間の接続関係を、測定された受信状態に応じて切り替えるアンテナ切替制御手段と、
を有することを特徴とするダイバーシティ受信装置。
【請求項７】
前記測定手段は、前記第１または第２受信処理手段が接続されたアンテナ素子の受信レベルを測定し、
前記アンテナ切替制御手段は、
前記第１および第２受信処理手段がそれぞれ接続されるアンテナ素子を、測定された受信レベルに応じて交換することを特徴とする請求項５または請求項６記載のダイバーシティ受信装置。
【請求項８】
前記測定手段は、前記第１または第２受信処理手段が接続されたアンテナ素子の受信品質を測定し、
前記アンテナ切替制御手段は、
前記第１および第２受信処理手段がそれぞれ接続されるアンテナ素子を、測定された受信品質に応じて交換することを特徴とする請求項５または請求項６記載のダイバーシティ受信装置。
【請求項９】
複数のアンテナ素子と、前記複数のアンテナ素子の一のアンテナ素子によって受信された無線信号に対して受信処理を施す第１受信処理手段と、前記複数のアンテナ素子の他のアンテナ素子によって受信された無線信号に対して、前記第１受信処理手段によって施される受信処理に比べて処理性能が制限された受信処理を施す第２受信処理手段と、を有するダイバーシティ受信装置における電源制御方法であって、
前記複数のアンテナ素子の所定のアンテナ素子の受信状態を測定する測定ステップと、
前記第１受信処理手段および前記第２受信処理手段の少なくともいずれか一方に対する電源供給のオン／オフを、測定された受信状態に応じて制御する電源制御ステップと、
を有することを特徴とする電源制御方法。
【請求項１０】
複数のアンテナ素子と、前記複数のアンテナ素子の一のアンテナ素子によって受信された無線信号に対して受信処理を施す第１受信処理手段と、前記複数のアンテナ素子の他のアンテナ素子によって受信された無線信号に対して、前記第１受信処理手段によって施される受信処理に比べて処理性能が制限された受信処理を施す第２受信処理手段と、を有するダイバーシティ受信装置における電源制御方法であって、
前記複数のアンテナ素子の所定のアンテナ素子の受信状態を測定する測定ステップと、
前記第１受信処理手段に対する電源供給をオンに固定しつつ、前記第２受信処理手段に対する電源供給のオン／オフを、測定された受信状態に応じて切り替える電源制御ステップと、
を有することを特徴とする電源制御方法。
【請求項１１】
複数のアンテナ素子と、前記複数のアンテナ素子の一のアンテナ素子に接続され、接続されたアンテナ素子によって受信された無線信号に対して受信処理を施す第１受信処理手段と、前記複数のアンテナ素子の他のアンテナ素子に接続され、接続されたアンテナ素子によって受信された無線信号に対して、前記第１受信処理手段によって施される受信処理に比べて処理性能が制限された受信処理を施す第２受信処理手段と、を有するダイバーシティ受信装置におけるアンテナ切替制御方法であって、
前記複数のアンテナ素子の所定のアンテナ素子の受信状態を測定する測定ステップと、
前記複数のアンテナ素子と前記第１または第２受信処理手段との間の接続関係を、測定された受信状態に応じて切り替えるアンテナ切替制御ステップと、
を有することを特徴とするアンテナ切替制御方法。
【手続補正２】
【補正対象書類名】明細書
【補正対象項目名】発明の名称
【補正方法】変更
【補正の内容】
【発明の名称】ダイバーシティ受信装置
【手続補正３】
【補正対象書類名】明細書
【補正対象項目名】０００１
【補正方法】変更
【補正の内容】
【０００１】
本発明は、携帯電話機等の移動体通信端末装置やこの移動体通信端末装置と無線通信を行う基地局装置等、無線通信を行う装置全般に利用可能なダイバーシティ受信装置に関する。
【手続補正４】
【補正対象書類名】明細書
【補正対象項目名】０００７
【補正方法】変更
【補正の内容】
【０００７】
本発明は、かかる点に鑑みてなされたものであり、消費電力を低減することができるダイバーシティ受信装置を提供することを目的とする。
【手続補正５】
【補正対象書類名】明細書
【補正対象項目名】０００８
【補正方法】変更
【補正の内容】
【０００８】
本発明のダイバーシティ受信装置は、無線信号を受信する複数のアンテナ素子と、前記複数のアンテナ素子の一のアンテナ素子によって受信された無線信号に対して受信処理を施す第１受信処理手段と、前記複数のアンテナ素子の他のアンテナ素子によって受信された無線信号に対して、前記第１受信処理手段によって施される受信処理に比べて処理性能が制限された受信処理を施す第２受信処理手段と、前記複数のアンテナ素子の所定のアンテナ素子の受信状態を測定する測定手段と、前記第１受信処理手段および前記第２受信処理手段の少なくともいずれか一方に対する電源供給のオン／オフを、測定された受信状態に応じて制御する電源制御手段と、を有する構成を採る。
【手続補正６】
【補正対象書類名】明細書
【補正対象項目名】０００９
【補正方法】変更
【補正の内容】
【０００９】
本発明のダイバーシティ受信装置は、無線信号を受信する複数のアンテナ素子と、前記複数のアンテナ素子の一のアンテナ素子によって受信された無線信号に対して受信処理を施す第１受信処理手段と、前記複数のアンテナ素子の他のアンテナ素子によって受信された無線信号に対して、前記第１受信処理手段によって施される受信処理に比べて処理性能が制限された受信処理を施す第２受信処理手段と、前記複数のアンテナ素子の所定のアンテナ素子の受信状態を測定する測定手段と、前記第１受信処理手段に対する電源供給をオンに固定しつつ、前記第２受信処理手段に対する電源供給のオン／オフを、測定された受信状態に応じて切り替える電源制御手段と、を有する構成を採る。
【手続補正７】
【補正対象書類名】明細書
【補正対象項目名】００１０
【補正方法】変更
【補正の内容】
【００１０】
本発明のダイバーシティ受信装置は、無線信号を受信する複数のアンテナ素子と、前記複数のアンテナ素子の一のアンテナ素子に接続され、接続されたアンテナ素子によって受信された無線信号に対して受信処理を施す第１受信処理手段と、前記複数のアンテナ素子の他のアンテナ素子に接続され、接続されたアンテナ素子によって受信された無線信号に対して、前記第１受信処理手段によって施される受信処理に比べて処理性能が制限された受信処理を施す第２受信処理手段と、前記複数のアンテナ素子の所定のアンテナ素子の受信状態を測定する測定手段と、前記複数のアンテナ素子と前記第１または第２受信処理手段との間の接続関係を、測定された受信状態に応じて切り替えるアンテナ切替制御手段と、を有する構成を採る。
【手続補正８】
【補正対象書類名】明細書
【補正対象項目名】００１１
【補正方法】変更
【補正の内容】
【００１１】
本発明の電源制御方法は、複数のアンテナ素子と、前記複数のアンテナ素子の一のアンテナ素子によって受信された無線信号に対して受信処理を施す第１受信処理手段と、前記複数のアンテナ素子の他のアンテナ素子によって受信された無線信号に対して、前記第１受信処理手段によって施される受信処理に比べて処理性能が制限された受信処理を施す第２受信処理手段と、を有するダイバーシティ受信装置における電源制御方法であって、前記複数のアンテナ素子の所定のアンテナ素子の受信状態を測定する測定ステップと、前記第１受信処理手段および前記第２受信処理手段の少なくともいずれか一方に対する電源供給のオン／オフを、測定された受信状態に応じて制御する電源制御ステップと、を有するようにした。
【手続補正９】
【補正対象書類名】明細書
【補正対象項目名】００１２
【補正方法】変更
【補正の内容】
【００１２】
本発明の電源制御方法は、複数のアンテナ素子と、前記複数のアンテナ素子の一のアンテナ素子によって受信された無線信号に対して受信処理を施す第１受信処理手段と、前記複数のアンテナ素子の他のアンテナ素子によって受信された無線信号に対して、前記第１受信処理手段によって施される受信処理に比べて処理性能が制限された受信処理を施す第２受信処理手段と、を有するダイバーシティ受信装置における電源制御方法であって、前記複数のアンテナ素子の所定のアンテナ素子の受信状態を測定する測定ステップと、前記第１受信処理手段に対する電源供給をオンに固定しつつ、前記第２受信処理手段に対する電源供給のオン／オフを、測定された受信状態に応じて切り替える電源制御ステップと、を有するようにした。
【手続補正１０】
【補正対象書類名】明細書
【補正対象項目名】００１３
【補正方法】変更
【補正の内容】
【００１３】
本発明のアンテナ切替制御方法は、複数のアンテナ素子と、前記複数のアンテナ素子の一のアンテナ素子に接続され、接続されたアンテナ素子によって受信された無線信号に対して受信処理を施す第１受信処理手段と、前記複数のアンテナ素子の他のアンテナ素子に接続され、接続されたアンテナ素子によって受信された無線信号に対して、前記第１受信処理手段によって施される受信処理に比べて処理性能が制限された受信処理を施す第２受信処理手段と、を有するダイバーシティ受信装置におけるアンテナ切替制御方法であって、前記複数のアンテナ素子の所定のアンテナ素子の受信状態を測定する測定ステップと、前記複数のアンテナ素子と前記第１または第２受信処理手段との間の接続関係を、測定された受信状態に応じて切り替えるアンテナ切替制御ステップと、を有するようにした。
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００８９
【補正方法】変更
【補正の内容】
【００８９】
本発明のダイバーシティ受信装置は、消費電力を低減する効果を有し、携帯電話機等の移動体通信端末装置やこの移動体通信端末装置と無線通信を行う基地局装置等、無線通信を行う装置全般において有用である。